(57)【特許請求の範囲】
【請求項１】
画像データとともに当該画像データに対応する音声データを順番に再生するスライドショー再生を行う再生装置であって、
記録メディアに記録された複数の画像データのファイル名と当該複数の画像データのそれぞれに対応する画像の表示時間として当該スライドショー再生における所定の表示時間とが記述されたスライドショー再生リストを生成する生成手段と、
当該複数の画像データの中から画像データを選択する選択手段と、
当該選択手段により選択された画像データの画像に対して、音声をアフレコして音声データを記録する記録手段と、
当該記録手段によりアフレコ記録された音声の長さを計測する計測手段と、
当該記録手段により記録された音声データのファイル名が当該選択手段により選択された画像データに対応付けて当該スライドショー再生リストに記述されるようにし且つ当該スライドショー再生における当該所定の表示時間と当該計測手段により計測された音声の長さとを比較し、当該計測手段により計測された音声の長さのほうが長い場合に、当該選択手段により選択された画像データに対応付けて当該スライドショー再生リストに記述された画像の表示時間が当該計測手段で計測された音声の長さとなるように当該スライドショー再生リストを更新する更新手段
とを具備することを特徴とする再生装置。
【請求項２】
当該記録手段により音声がアフレコ記録された場合に、当該スライドショー再生リストが存在するか否かを判別する判別手段を更に具備し、
当該更新手段は、当該判別手段により当該スライドショー再生リストが既に存在すると判別された場合に、当該スライドショー再生リストを更新し、
当該生成手段は、当該判別手段により当該スライドショー再生リストが存在しないと判別された場合に、当該スライドショー再生リストを新たに生成する
ことを特徴とする請求項１に記載の再生装置
【請求項３】
当該スライドショー再生リストに記述された画像データのファイル名に対応する画像データとともに当該画像データに対応付けて当該スライドショー再生リストに記述された音声データのファイル名に対応する音声データを、当該画像データに対応付けて当該スライドショー再生リストに記述された画像の表示時間再生する再生手段を具備することを特徴とする請求項１又は２に記載の再生装置。
【請求項４】
当該スライドショー再生リストは、当該スライドショー再生における画像の表示順を示す番号と、画像データのファイル名と、音声データのファイル名とを含むことを特徴とする請求項１乃至３のいずれか一項に記載の再生装置。
【請求項５】
画像データとともに当該画像データに対応する音声データを順番に再生するスライドショー再生を行う再生装置の制御方法であって、
記録メディアに記録された複数の画像データのファイル名と当該複数の画像データのそれぞれに対応する画像の表示時間として当該スライドショー再生における所定の表示時間とが記述されたスライドショー再生リストを生成する生成ステップと、
当該複数の画像データの中から画像データを選択する選択ステップと、
当該選択ステップで選択された画像データの画像に対して、音声をアフレコして音声データを記録する記録ステップと、
当該記録ステップでアフレコ記録された音声の長さを計測する計測ステップと、
当該記録ステップで記録された音声データのファイル名が当該選択ステップで選択された画像データに対応付けて当該スライドショー再生リストに記述されるようにし且つ当該スライドショー再生における当該所定の表示時間と当該計測ステップで計測された音声の長さとを比較し、当該計測ステップで計測された音声の長さのほうが長い場合に、当該選択ステップで選択された画像データに対応付けて当該スライドショー再生リストに記述された画像の表示時間が当該計測ステップで計測された音声の長さとなるように当該スライドショー再生リストを更新する更新ステップ
とを具備することを特徴とする再生装置の制御方法。
【発明の詳細な説明】
【技術分野】
【０００１】
本発明は、音声をアフレコ可能で、画像及び音声をスライドショー再生する再生装置及びその制御方法に関する。
【背景技術】
【０００２】
従来のビデオカメラでは、記録された静止画像データを順番に再生する機能（スライドショー再生機能）がある。ビデオカメラ内のＣＰＵに組み込まれたプログラムにより、スライドショーの再生が制御される。
【０００３】
また、ユーザが作成した再生リスト（プレイリスト）に基づき、画像データ又は音声データを再生する装置も知られており、再生順序や更新間隔等を設定できるものもある。
【０００４】
一方、ビデオカメラには、既に記録された画像データに対し、後から音声データを付加する機能（「アフターレコード機能」、以下、「アフレコ機能」と称す）もある。特許文献１には、アフレコされた音声信号の記録時間がスライドショーの更新間隔よりも長い場合には、記録時間の経過を待って画像を更新することが記載されている。
【特許文献１】特開２０００−１５２１６６号公報
【発明の開示】
【発明が解決しようとする課題】
【０００５】
しかし、従来のビデオカメラでは、内蔵ＣＰＵに組み込まれるプログラムの機能又は仕様が一般的には異なっているので、他のビデオカメラで再生する場合に、希望の通りのスライドショーにならないことがある。
【０００６】
スライドショーの再生リストの記述フォーマットとして、デジタルカメラでは、ＤＰＯＦ(Digital Print Order Format)Ｖｅｒ１．１におけるＡＵＴＰＬＡＹファイル、ビデオカメラ及びパーソナルコンピュータでは、ＳＭＩＬ(Synchronized Multimedia Integration Language)、ＸＭＬ(eXtensible Markup Language)、ＳＧＭＬ(Standard Generalized Markup Language)、ＨＴＭＬ(Hyper Text Markup Language)、及び、米国Ａｐｐｌｅ社のＱｕｉｃｋＴｉｍｅファイルフォーマット等が知られている。いずれの記述フォーマットでも、ユーザがスライドショーの再生リストをマニュアル作成するには、記録された画像と音声をモニタしながら、画像の更新間隔又は音声の再生時間を調整することになり、ユーザにとって面倒な作業となっていた。
【０００７】
そこで、本発明は、かかる問題点に鑑み、アフレコ処理の際に、自動的に再生リストを作成する再生装置及びその制御方法を提示することを目的とする。
【課題を解決するための手段】
【０００９】
上記の目的を達成するために、本発明に係る再生装置は、画像データとともに当該画像データに対応する音声データを順番に再生するスライドショー再生を行う再生装置であって、記録メディアに記録された複数の画像データのファイル名と当該複数の画像データのそれぞれに対応する画像の表示時間として当該スライドショー再生における所定の表示時間とが記述されたスライドショー再生リストを生成する生成手段と、当該複数の画像データの中から画像データを選択する選択手段と、当該選択手段により選択された画像データの画像に対して、音声をアフレコして音声データを記録する記録手段と、当該記録手段によりアフレコ記録された音声の長さを計測する計測手段と、当該記録手段により記録された音声データのファイル名が当該選択手段により選択された画像データに対応付けて当該スライドショー再生リストに記述されるようにし且つ当該スライドショー再生における当該所定の表示時間と当該計測手段により計測された音声の長さとを比較し、当該計測手段により計測された音声の長さのほうが長い場合に、当該選択手段により選択された画像データに対応付けて当該スライドショー再生リストに記述された画像の表示時間が当該計測手段で計測された音声の長さとなるように当該スライドショー再生リストを更新する更新手段とを具備することを特徴とする。
【００１０】
本発明に係る再生装置の制御方法は、画像データとともに当該画像データに対応する音声データを順番に再生するスライドショー再生を行う再生装置の制御方法であって、記録メディアに記録された複数の画像データのファイル名と当該複数の画像データのそれぞれに対応する画像の表示時間として当該スライドショー再生における所定の表示時間とが記述されたスライドショー再生リストを生成する生成ステップと、当該複数の画像データの中から画像データを選択する選択ステップと、当該選択ステップで選択された画像データの画像に対して、音声をアフレコして音声データを記録する記録ステップと、当該記録ステップでアフレコ記録された音声の長さを計測する計測ステップと、当該記録ステップで記録された音声データのファイル名が当該選択ステップで選択された画像データに対応付けて当該スライドショー再生リストに記述されるようにし且つ当該スライドショー再生における当該所定の表示時間と当該計測ステップで計測された音声の長さとを比較し、当該計測ステップで計測された音声の長さのほうが長い場合に、当該選択ステップで選択された画像データに対応付けて当該スライドショー再生リストに記述された画像の表示時間が当該計測ステップで計測された音声の長さとなるように当該スライドショー再生リストを更新する更新ステップとを具備することを特徴とする。
【発明の効果】
【００１１】
本発明によれば、アフレコ記録された音声の長さと所定の表示時間とを比較し、アフレコ記録された音声の長さが当該所定の表示時間より長い場合に、画像の表示時間をアフレコ記録された音声の長さとすることにより、ユーザの手を煩わせることなしに、アフレコの音声記録時間に応じたスライドショー再生リストを生成できる。
【発明を実施するための最良の形態】
【００１２】
以下、図面を参照して、本発明の実施例を詳細に説明する。
【００１３】
図１及び図２を参照して、本発明の一実施例であるビデオカメラの構成を説明する。図１は、本発明の一実施例であるビデオカメラの概略構成ブロック図であり、図２はその外観斜視図である。
【００１４】
図１に示すビデオカメラ１０は、デジタルビデオカメラ又はデジタルカメラ等である。ビデオカメラ１０は、主たる構成要素として、撮像ユニット１２、カメラ信号処理装置１４、マイク装置１６、バス１８、メモリ２０、表示制御装置２２、表示装置２４、コーデック２６、メモリカード３０及びＤＶＤ（Digital Versatile Disk）ディスク３２のインターフェース（Ｉ／Ｆ）２８、ＣＰＵ（Central Processing Unit）３４、操作装置３６、キャラクタ発生装置３８、入出力装置４０、スピーカ４２及びタイマ４４を具備する。
【００１５】
操作装置３６は、通常の操作キー以外に、モードダイヤル３６ａ、メディア選択スイッチ３６ｂ及びトリガキー３６ｃを具備する。
【００１６】
撮像ユニット１２は光学レンズ、ＣＣＤ（Charge Coupled Devices）又はＣＭＯＳ（Complementary Metal Oxide Semiconductor）等の撮像素子、オートフォーカス機構、ズーム機構及びＡ／Ｄ変換器等からなり、被写体の光学像を電気信号に変換し、デジタル画像信号を出力する。
【００１７】
カメラ信号処理装置１４は、撮像ユニット１２からのデジタル画像信号にカメラで周知の信号処理（例えば、ガンマ補正、色バランス調整、輝度／色分離）等を施す。
【００１８】
マイク装置１６は音響／電気変換器、増幅回路及びＡ／Ｄ変換装置等を具備し、周囲の音声を取り込み、デジタル音声信号を出力する。
【００１９】
バス１８はＤＭＡ（Direct Memory Access）コントローラと一体となって、上述の各ブロック間で画像データ、音声データ及び制御信号を転送するのに使用される。
【００２０】
メモリ２０は、ＣＰＵ３４のプログラム及び固定パラメータを記憶するＲＯＭ（Read Only Memory）と、一時データを記憶し、ＣＰＵ３４のワークメモリとなるＲＡＭ（Random Access Memory）等で構成されている。
【００２１】
表示制御装置２２は、バス１８を介してカメラ信号処理装置１４からのデジタル画像信号又はコーデック２６からの再生画像信号を受けて、表示装置２４に印加する。これにより、撮像中又は記録中の画像、及び再生画像が、表示装置２４の画面に表示可能である。表示装置２４はＬＣＤ（液晶パネル）からなり、更に、ＥＶＦ（電子ビューファインダ）を具備してもよい。
【００２２】
コーデック２６は、ＭＰＥＧ（Moving Picture Experts Group phase）２、Ｍｏｔｉｏｎ  ＪＰＥＧ又はＪＰＥＧ２０００等の画像圧縮方式でカメラ信号処理装置１４から出力されるデジタル画像信号とマイク装置１６からのデジタル音声信号を圧縮符号化し、圧縮画像データ及び圧縮音声データを生成する。また、コーデック２６は、メモリカード３０及びＤＶＤディスク３２からの圧縮画像データ及び圧縮音声データを伸長することもできる。
【００２３】
Ｉ／Ｆ２８は、メモリカード３０及びＤＶＤディスク３２をバス１８に接続し、ＣＰＵ３４の指示に従い、データをメモリカード３０及びＤＶＤディスク３２に読み書きする。メモリカード３０は例えば不揮発性のフラッシュメモリであり、ＤＶＤディスク３２は例えば、着脱式の光ディスクである。すなわち、メモリカード３０及びＤＶＤディスク３２は、コーデック２６による圧縮画像データ及び圧縮音声データを記録可能である。なお、ＤＶＤディスク３２の代わりに、種々の光ディスク媒体又は磁気ディスク媒体も利用可能である。
【００２４】
本実施例では、画像データはＪＰＥＧ（Joint Photographic Experts Group）方式で表現され、音声データはＷＡＶＥ形式で表現され、動画像データはＡＶＩ（Audio Video Interleaving）形式で表現される。
【００２５】
ＣＰＵ３４は、操作装置３６の操作及び各部の状態に従って、ビデオカメラ１０の各部を制御する。
【００２６】
操作装置３６は、特記したように、モードダイヤル３６ａ、メディア選択スイッチ３６ｂ及びトリガキー３６ｃを具備する。操作装置３６はまた、一般的な操作キーとして、動画撮影スイッチ、記録スイッチ、再生スイッチ及び停止スイッチを具備し、ユーザがこれらを操作することで、モード選択、メディアの切替え、静止像撮影、動画撮影、外部電子機器からの画像データ及び音声データの記録等、再生並びに停止等を、ＣＰＵ３４に指示する。
【００２７】
また、操作装置３６は、メニューキー、十字キー、決定キー、スライドショーボタン及びアフレコスイッチも具備し、ユーザはこれらを使って、メニュー画面の表示、選択及び決定、スライドショーの再生並びにアフレコ処理をＣＰＵ３４に指示できる。本実施例のメニュー画面（デフォルト状態）では、スライドショーの表示時間（Ｔ１）又は更新間隔が５秒間と設定されているが、ユーザは、スライドショーの表示時間（Ｔ１）を自由に変更できる。
【００２８】
モードダイヤル３６ａは、図２に拡大して図示してあるように、「スチル」、「ムービー」、「再生」又は「電源オフ」を選択可能であり、それぞれにより、静止画カメラモード、動画カメラモード、再生モード又は電源オフをＣＰＵ３４に指示できる。例えば、図２では、「電源オフ」が選択されている。メディア選択スイッチ３６ｂは、メモリカード３０又はＤＶＤディスク３２を選択指示するスイッチである。例えば、図２では、メモリカード３０が選択されている。トリガキー３６ｃは、静止画カメラモード又は動画カメラモードにおいて、撮影画像の記録をＣＰＵ３４に指示するのに使用される。
【００２９】
キャラクタ発生装置３８は、各種設定画面であるメニュー画面で使用するキャラクタ画像を生成する。メニュー画面には、文字ベースのインターフェース、即ち、ＣＵＩ（Character-based User Interface）又はグラフィックベースのインターフェース、即ちＧＵＩ（Graphical User Interface）が使用され、キャラクタ発生装置３８は、その画面上で表示される文字画像等を生成する。
【００３０】
入出力装置４０はＩＥＥＥ（Institute of Electrical and Electronic Engineers）１３９４又はＵＳＢ（Universal Serial Bus）等であり、外部電子機器との間で画像データ及び音声データを含む種々のデータをやり取りできる。
【００３１】
タイマ４４は、後述する画像データに対して音声データを付加する時間（アフレコ処理時間）等を計測するのに使用される。
【００３２】
次に、撮像、記録、再生及びスライドショー再生の基本動作を説明する。また、説明を簡略化するために、音声データの説明は省略し、画像データの流れだけを説明する。
【００３３】
静止画カメラモード（スチル）又は動画カメラモード（ムービー）では、撮像ユニット１２は、被写体の光学像に対応する画像データを出力する。カメラ信号処理装置１４は、撮像ユニット１２の出力画像データに周知のカメラ信号処理を施す。カメラ信号処理装置の出力画像データは、バス１８を介してメモリ２０に書き込まれる。表示制御装置２２は、メモリ２０に記憶される画像データに従い表示装置２４を駆動する。これにより、ユーザは、被写体と構図を確認できる。
【００３４】
記録モードでは、コーデック２６は、メモリ２０の画像データを圧縮符号化し、圧縮画像データをＩ／Ｆ２８に転送する。Ｉ／Ｆ２８は、圧縮画像データをメモリカード３０又はＤＶＤディスク３２に記録する。ユーザはメディア選択スイッチ３６ｂにより、記録先を指定できる。このようにして、撮影された画像の圧縮画像データがメモリカード３０又はＤＶＤディスク３２に格納される。
【００３５】
図３は、メモリカード３０における画像データの格納構造を示す。ディレクトリ５０（ディレクトリ名：ＤＣＩＭ）がルートディレクトリの直下に配置されており、ディレクトリ５２（ディスレクトリ名：１００ＡＢＣＤ）がディレクトリ５０の直下に配置されている。ディレクトリ５２の名前の「ＡＢＣＤ」は、通常、カメラのメーカ名である。ディレクトリ５２内には、ＪＰＥＧ形式の画像データ５４，５６，５８及びＡＶＩ形式の動画データ６０が格納されている。このようなディレクトリ構造は、日本電子工業振興協会が制定したＤＣＦ（Design rule for Camera File system）に準拠する。
【００３６】
再生モードでは、Ｉ／Ｆ２８は、メモリカード３０又はＤＶＤディスク３２から指定の画像の圧縮画像データを読み出し、コーデック２６に転送する。コーデック２６は、Ｉ／Ｆ２８からの圧縮画像データを伸長して画像データを復元する。復元された画像データは、表示制御装置２２を介して表示装置２４に印加される。これにより、再生画像が表示装置２４の画面に表示される。
【００３７】
また、再生モードにおいて、ユーザがスライドショーボタンを押すと、Ｉ／Ｆ２８は、メモリカード３０又はＤＶＤディスク３２から指定の画像の圧縮画像データを格納順に、指定の表示時間又は更新時間（デフォルトでは５秒）で読み出し、コーデック２６に転送する。コーデック２６は、Ｉ／Ｆ２８からの圧縮画像データを伸長して画像データを復元する。復元された画像データは、表示制御装置２２を介して表示装置２４に印加される。これにより、複数の再生画像が更新時間（５秒）毎に順次切り替えて、表示装置２４の画面に表示される。
【００３８】
次に、図４乃至図６を参照して、アフレコ処理の動作を説明する。図４は、本実施例における再生リスト作成工程のフローチャートである。図５は、画像データの一覧表示例であり、図６は、アフレコ処理後のディレクトリ構成を示す図である。ただし、メモリカード３０には、図３に例示したように画像データ５４〜５８と動画データ６０が記録されており、メディア選択スイッチ３６ｂで「カード」が選択されているものとする。
【００３９】
まず、ユーザがモードダイヤル３６ａを「再生」に合わせ、再生モードにする。再生モードでは、先ず、図５に示すように、メモリカード３０に記憶されるデータ５４〜６０が一覧表示され（Ｓ１０）、ユーザは、十字キーと決定キーを用いて画像一覧の中からいずれかを選択する（Ｓ１１）。例えば、図５では、「ＩＭＧ＿０００２．ＪＰＧ」が選択されている。
【００４０】
ＣＰＵ３４は、画像データが選択された状態で、アフレコスイッチがオンになっているか否かを判別する（Ｓ１２）。アフレコスイッチがオンになると（Ｓ１２）、アフレコスイッチがオフになるまで（Ｓ１５）、マイク装置１６からの音声データがメモリカード３０に記録される（Ｓ１３）。例えば、ステップＳ１３では、図６に示すように、メモリカード３０内に、音声データ「ＳＮＤ＿０００２．ＷＡＶ」７０が記録される。このとき、タイマ４４が、アフレコスイッチがオンからオフになるまでの時間、即ち、アフレコ処理時間Ｔ＿ＲＥＣを計測する（Ｓ１４）。
【００４１】
アフレコスイッチがオフになると（Ｓ１５）、ＣＰＵ３４は、アフレコ処理時間Ｔ＿ＲＥＣがスライドショーの表示時間Ｔ１より短いかどうかを判別する（Ｓ１６）。Ｔ＿ＲＥＣがＴ１より小さい場合（Ｓ１６）、Ｔ１の値がアフレコ処理時間Ｔ＿ＲＥＣに代入される（Ｓ１７）。例えば、Ｔ１＝５、Ｔ＿ＲＥＣ＝１０であれば、そのままであるが、例えば、メニュー画面において、デフォルトの表示時間Ｔ１がユーザにより１５（秒）に変更されている場合、ステップＳ１７でＴ＿ＲＥＣは１５で置換される。
【００４２】
ＣＰＵ３４は、メモリカード３０内にスライドショー再生リストがあるかどうかを判別する（Ｓ１８）。スライドショー再生リストは、例えば、図６に例示するように、ディレクトリ７２（ディレクトリ名：ＭＩＳＫ）の中にファイル７４（名称：ＡＵＴＰＬＡＹ０．ＭＲＫ）として配置される。再生リストが無い場合（Ｓ１８）、ディレクトリ７２（ディレクトリ名：ＭＩＳＫ）が自動作成され、音声をアフレコしていない画像の表示時間をＴ１とし、音声をアフレコした画像の表示時間をＴ＿ＲＥＣとするスライドショー再生リスト７４（ファイル名：ＡＵＴＰＬＡＹ０．ＭＡＫ）が自動生成される（Ｓ１９）。一方、再生リストが既にある場合（Ｓ１８）、そのスライドショー再生リストの内容を、音声をアフレコしていない画像の表示時間をＴ１とし、音声をアフレコした画像の表示時間をＴ＿ＲＥＣとするように更新する（Ｓ２０）。
【００４３】
再生モードが終了したか否かを判別する（Ｓ２１）。終了すると（Ｓ２１）、動作が終了する。
【００４４】
このように、本実施例では、アフレコ音声時間Ｔ＿ＲＥＣがスライドショーの表示時間Ｔ１より短い場合に、Ｔ＿ＲＥＣをＴ１の値で置換するので、アフレコ音声時間よりも短い間隔でスライドショーを行うことがなくなる。また、アフレコ音声時間Ｔ＿ＲＥＣがスライドショーの所定表示時間Ｔ１より長い場合には、Ｔ＿ＲＥＣの時間で画像を表示するので、アフレコ時間がＴ１より長い場合でも音声が途切れることなくスライドショーを行うことができる。
【００４５】
図７を参照して、スライドショー再生リスト７４の内容と表記例を説明する。ただし、スライドショー再生リスト７４は、ＤＰＯＦ(Digital Print Order Format)Ｖｅｒ１．１に準拠する記述フォーマットで表現されている。また、図７では、アフレコ音声時間Ｔ＿ＲＥＣを１０秒間とし、スライドショーの表示時間Ｔ１を５秒としている。
【００４６】
図７において、「ＰＬＹ  ＰＩＤ」は表示順を示す番号であり、「ＰＬＹ  ＤＵＲ」はスライドショーの表示時間である。「ＩＭＧ  ＦＭＴ」は記録形式を示し、「ＩＭＧ  ＳＲＣ」は画像データの格納場所を示すアドレスである。また、「ＳＮＤ  ＳＲＣ」は音声データの格納場所を示すアドレスである。
【００４７】
例えば、ユーザスライドショーボタンを押すと、スライドショー再生リストに従って、画像（動画を含む）と音声が再生される。図７に示す例では、画像データ「ＩＭＧ＿０００１．ＪＰＧ」が５秒間表示される（工程８０）。画像データ「ＩＭＧ＿０００２．ＪＰＧ」が１０秒間表示されながら、音声データ「ＳＮＤ＿０００２．ＷＡＶ」が再生される（工程８２）。画像データ「ＩＭＧ＿０００３．ＪＰＧ」が５秒間表示される（工程８４）。そして、動画データ「ＭＶＩ＿０００４．ＡＶＩ」が最後まで再生され（工程８６）、スライドショーを終える。
【００４８】
このように、本実施例では、記述フォーマットからもわかるように、特別な操作を行うことなく、アフレコされた音声に応じた内容のスライドショー再生リストを自動生成できる。
【００４９】
次に、図８及び図９を参照して、画像更新時の動作を説明する。図８は画像更新時の動作フローチャートであり、図９は、再生リストの一例である。ただし、メモリカード３０には図３に示すように画像データ５４〜５８と動画データ６０が記録されており、メディア選択スイッチ３６ｂで「カード」が選択されているものとする。
【００５０】
ユーザがモードダイヤル３６ａを「スチル」又は「ムービー」に合わせることで、静止画カメラモード又は動画カメラモードを選択する。ＣＰＵ３４は、トリガキー３６ｃが押されたか否かを判別する（Ｓ３０）。トリガキー３６ｃが押されると（Ｓ３０）、撮像ユニット１２による撮影画像データがカメラ信号処理装置１４及びバス１８を介してメモリ２０に記憶される（Ｓ３１）。メモリ２０に記憶される画像データがコーデック２６で圧縮符号化処理され（Ｓ３２）、メモリカード３０に記録される（Ｓ３３）。
【００５１】
ＣＰＵ３４は、メモリカード３０にスライドショー再生リストがあるか否かを判別する（Ｓ３４）。スライドショー再生リストが存在していると（Ｓ３４）、新たに記録された画像をスライドショー再生の対象に加えるように、スライドショー再生リストの内容を更新する（Ｓ３５）。図９は、更新後のスライドショー再生リストの内容を示す。工程９０が追加されている。
【００５２】
撮影終了の操作の有無を判別する（Ｓ３６）。撮影終了の操作が無ければ（Ｓ３６）、ステップＳ３０に戻る。撮影終了の操作があれば（Ｓ３６）、以上の動作を終了する。
【００５３】
このように、本実施例では、新たに撮影された画像データの記録に連動して、スライドショー再生リストに追加するので、別途、ユーザがマニュアルでスライドショー再生リストにその画像を追加する操作をしなくても済む。
【００５４】
本実施例では、スライドショー再生リストとして、ＤＰＯＦ(Digital Print Order Format)Ｖｅｒ１．１におけるＡＵＴＰＬＡＹファイルを例に説明したが、スライドショー再生リストの記述フォーマットには、ＤＰＯＦ以外にも、ＳＭＩＬ(Synchronized Multimedia Integration Language)、ＸＭＬ(eXtensible Markup Language)、ＳＧＭＬ(Standard Generalized Markup Language)、ＨＴＭＬ(Hyper Text Markup Language)、及び、米国Ａｐｐｌｅ社のＱｕｉｃｋＴｉｍｅファイルフォーマット等があり、その何れを使用しても良い。
【図面の簡単な説明】
【００５５】
【図１】本発明の一実施例であるビデオカメラの概略構成ブロック図である。
【図２】本実施例の外観斜視図とモードダイヤル３６ａとメディア選択スイッチ３６ｂの拡大図である。
【図３】メモリカード３０のディレクトリ構成例を示す図である。
【図４】本実施例における再生リスト作成工程のフローチャートである。
【図５】画像データの一覧表示例である。
【図６】アフレコ処理後のディレクトリ構成例を示す図である。
【図７】スライドショー再生リストの一記述例である。
【図８】画像追加時の動作フローチャートである。
【図９】画像追加後のスライドショー再生リストの記述例である。
【符号の説明】
【００５６】
１０  ビデオカメラ
１２  撮像ユニット
１４  カメラ信号処理装置
１６  マイク装置
１８  バス
２０  メモリ
２２  表示制御装置
２４  表示装置
２６  コーデック
２８  Ｉ／Ｆ
３０  メモカード
３２  ＤＶＤディスク
３４  ＣＰＵ
３６  操作キー
３６ａ  モードダイヤル
３６ｂ  メディア選択スイッチ
３６ｃ  トリガキー
３８  キャラクタ発生装置
４０  入出力装置
４２  スピーカ
４４  タイマ
【図１】
0004761544.tif 000002
【図２】
0004761544.tif 000003
【図３】
0004761544.tif 000004
【図４】
0004761544.tif 000005
【図５】
0004761544.tif 000006
【図６】
0004761544.tif 000007
【図７】
0004761544.tif 000008
【図８】
0004761544.tif 000009
【図９】
0004761544.tif 000010